(57)【要約】【課題】複数の画像入力に応じ、非投影領域を減らして、画面面積を有効に使用する。【解決手段】複数の外部機器から複数の画像信号を入力する画像入力部11と、画像を投影する投影部14と、画像入力部11で入力する複数の画像信号夫々に対応するアスペクト比に基づいて、複数の画像の投影条件を設定するＣＰＵ21と、設定した内容に基づいて画像入力部11で入力される複数の画像信号から合成画像を生成し、投影部14で投影させるスケーラ12及び表示メモリ13とを備える。【選択図】      図２
2018163234.tif 000002
【特許請求の範囲】
【請求項１】
複数の外部機器から複数の画像信号を入力する入力部と、
画像を表示する表示部と、
上記入力部で入力する複数の画像信号それぞれに対応するアスペクト比に基づいて、上記複数の画像の表示条件を設定する設定部と、
上記設定部で設定した内容に基づいて、上記入力部で入力される複数の画像信号から合成画像を生成し、上記表示部で表示させる表示制御部と、
を備える表示装置。
【請求項２】
上記表示条件は、上記複数の画像のそれぞれの画像の配置位置と、拡大縮小率と、の少なくとも一方である、請求項１記載の表示装置。
【請求項３】
上記設定部は、画像に対する拡大率と、縮小率と、の少なくとも一方に制限を設ける、請求項２記載の表示装置。
【請求項４】
上記設定部は、画像に含まれる文字のサイズと上記表示部の表示解像度とに基づいて、当該画像に対する縮小率に制限を設ける、請求項２または３記載の表示装置。
【請求項５】
上記入力部で入力する画像信号に対応する画像中から、文字と当該文字サイズとを認識する文字認識部をさらに備え、
上記設定部は、上記文字認識部で認識した文字サイズと上記表示部の表示解像度とに基づいて、当該画像に対する縮小率に制限を設ける、
請求項４記載の表示装置。
【請求項６】
上記表示部は、台形補正機能を有する投影部であり、
上記設定部は、上記台形補正機能の実行に伴う表示解像度の低下を考慮して、当該画像に対する縮小率に制限を設ける、
請求項４または５記載の表示装置。
【請求項７】
複数の外部機器から複数の画像信号を入力する入力部と、画像を表示する表示部とを備える装置での表示方法であって、
上記入力部で入力する複数の画像信号それぞれに対応するアスペクト比に基づいて、上記複数の画像の表示条件を設定する設定工程と、
上記設定工程で設定した内容に基づいて、上記入力部で入力される複数の画像信号から合成画像を生成し、上記表示部で表示させる表示制御工程と、
を有する表示方法。
【請求項８】
複数の外部機器から複数の画像信号を入力する入力部と、画像を表示する表示部とを備える装置が内蔵したコンピュータが実行するプログラムであって、上記コンピュータを、
上記入力部で入力する複数の画像信号それぞれに対応するアスペクト比に基づいて、上記複数の画像の表示条件を設定する設定部、及び
上記設定部で設定した内容に基づいて、上記入力部で入力される複数の画像信号から合成画像を生成し、上記表示部で表示させる表示制御部、
として機能させるプログラム。
【発明の詳細な説明】
【技術分野】
【０００１】
本発明は、複数の画像信号を入力して合成画像を投影するプログラム等に好適な表示装置、表示方法及びプログラムに関する。
【背景技術】
【０００２】
画像信号を入力するための外部機器として、複数台、例えば４台のパーソナルコンピュータを接続して、各パーソナルコンピュータから入力した画像信号に基づき、画面を分割して複数の画像を同時に投影するようなプロジェクタが種々提案され、製品化されている。（例えば、特許文献１）
【先行技術文献】
【特許文献】
【０００３】
【特許文献１】特開２０１４−０５２９３０号公報
【発明の概要】
【発明が解決しようとする課題】
【０００４】
上記特許文献に記載された技術も含めて、一般的に複数の入力画像を１つの画面を分割して投影する場合、投影する画面を等分に分割し、複数の画像を、分割したそれぞれの画面に配置させた上で、同時に表示するものが殆どである。
【０００５】
ところで、分割された画面のアスペクト比が定まっている一方で、その画面位置に割り当てられる、パーソナルコンピュータ等から入力される画像のアスペクト比は多種多様であり、例えば映像信号では(横)４：(縦)３、(横)１６：(縦)９等の横長のものが多く、またドキュメントの画像では用紙の関係で(横)１．４１：(縦)１（横長）あるいは(横)１：(縦)１．４１（縦長）のものが多い。
【０００６】
そして、分割された画面の領域と、その領域に投影するパーソナルコンピュータ等から入力される画像のアスペクト比とが異なる場合、通常は、入力された画像の全体が分割された画面に入るように、分割された画面の上下あるいは左右に、情報の投影を行なわない非投影領域として、予め設定された無難な色、例えば黒や青による無地の領域を設定するのが普通である。
【０００７】
そのため、パーソナルコンピュータ等から入力される複数の画像信号に基づいた投影を実行する場合、投影される画像信号の種類によっては、画面内で上記非投影領域が占める割合が高く、プロジェクタにより画像を拡大して投影しているにも拘わらず、投影画像中の有効な部分が占める面積が相対的に小さくなって、投影内容が見づらいものとなる可能性がある。
【０００８】
本発明は上記のような実情に鑑みてなされたもので、その目的とするところは、入力される複数の画像信号に応じて、非投影領域をできるだけ減らして、画面の面積を有効に使用することが可能な表示装置、表示方法及びプログラムを提供することにある。
【課題を解決するための手段】
【０００９】
本発明の一態様は、複数の外部機器から複数の画像信号を入力する入力部と、画像を表示する表示部と、上記入力部で入力する複数の画像信号それぞれに対応するアスペクト比に基づいて、上記複数の画像の表示条件を設定する設定部と、上記設定部で設定した内容に基づいて、上記入力部で入力される複数の画像信号から合成画像を生成し、上記表示部で表示させる表示制御部と、を備える。
【発明の効果】
【００１０】
本発明によれば、入力される複数の画像信号に応じて、非投影領域をできるだけ減らして、画面の面積を有効に使用することが可能となる。
【図面の簡単な説明】
【００１１】
【図１】本発明の一実施形態に係るプロジェクタを用いた投影環境を例示する図。
【図２】同実施形態に係るプロジェクタの概略機能構成を示すブロック図。
【図３】同実施形態に係る合成画像の配置及びサイズ変更の設定処理内容を示すフローチャート。
【図４】同実施形態に係るノーマルモードでの４画像の分割投影状態を例示する図。
【図５】同実施形態に係るサイズ調整モードでの４画像の分割投影状態を例示する図。
【発明を実施するための形態】
【００１２】
以下本発明をプロジェクタを用いた投影環境でプレゼンテーションを行なう場合の一実施形態について、図面を参照して説明する。  
図１は、上記投影環境を例示する図である。同図で１がプロジェクタ、２Ａ〜２Ｄがそれぞれプロジェクタ１に投影する画像を提供するパーソナルコンピュータ（以下「ＰＣ」と称する）である。
【００１３】
プロジェクタ１と３台のＰＣ（外部機器）２Ａ〜２Ｃは、それぞれ例えばＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）規格に則った、音声信号用を兼ねた画像信号用のビデオケーブルＶＣ１〜ＶＣ３により有線接続される。
【００１４】
また、上記ＰＣ（外部機器）２Ｄは、例えばＩＥＥＥ８０２．１１ａ／１１ｂ／１１ｇ／１１ｎ規格に則った無線ＬＡＮ技術により、プロジェクタ１と無線接続される。
【００１５】
プロジェクタ１は、これらＰＣ２Ａ〜２Ｄから与えられる画像データや特定のアプリケーションプログラムのファイルデータ等を受取って、それらのデータに基づく、ここでは４つの画像を合成した投影画像を、随時スクリーンＳＣに投影する。
【００１６】
図２は、上記プロジェクタ１の概略機能構成を示すブロック図である。画像入力部１１は、例えばＤ−ｓｕｂ１５タイプのＲＧＢ入力端子、ピンジャック（ＲＣＡ）タイプのビデオ入力端子及び音声入力端子、ＨＤＭＩ（登録商標）端子、ＵＳＢ端子などを複数、例えば３個ずつ備える。画像入力部１１に入力された各種規格の画像信号は、画像入力部１１で必要に応じてデジタルデータ化された後に、バスＢを介してスケーラ１２に送られる。
【００１７】
スケーラ１２は、バスＢを介して入力される、例えば最大４系統の画像データをそれぞれ投影に適した所定のフォーマットの画像データに統一して随時表示メモリ１３に書込む。
【００１８】
この表示メモリ１３に書込まれた画像データに基づいて、投影部１４が投影を実行する。この投影部１４は、例えば表示素子としてのマイクロミラー素子とその駆動回路、３原色のＬＥＤにより時分割で発光する光源部、及び上記光源部での光が上記マイクロミラー素子に照射されてその反射光で構成された光像を上記スクリーンＳＣに向けで投射する投影レンズ光学系等を含む。
【００１９】
上記マイクロミラー素子は、アレイ状に配列された複数、例えば４Ｋ  ＵＨＤＴＶ（横３８４０画素×縦２１６０画素）分の微小ミラーの各傾斜角度を個々に高速でオン／オフ動作することで、その反射光により光像を形成する。
【００２０】
また画像入力部１１に入力された画像信号と合せて入力された音声信号は、必要によりデジタルデータ化された後に、画像データから分離されて音声出力部１５に与えられる。音声出力部１５は、ＰＣＭ音源等の音源回路を備え、投影動作時に与えられる音声データをアナログ化し、スピーカ部１６を駆動して拡声放音させ、あるいは必要によりビープ音等を発生させる。
【００２１】
また上記ＰＣ２Ｄから無線接続により送られてくるデータは、無線ＬＡＮインタフェイス（Ｉ／Ｆ）１７が無線ＬＡＮアンテナ１８を用いて受信する。受信したデータが、例えばＪＰＥＧファイルなどのデータ圧縮を施した画像データや、ＰＤＦファイルなどの文書データ、プレゼンテーション等の特定されるアプリケーションプログラムで使用するスライド画像データ等であった場合、デコーダ１９がそれらをデコードして投影に適した画像データを生成し、上記スケーラ１２へ送出する。
【００２２】
また上記画像入力部１１で画像データを入力した場合などにおいて、文字認識部２０が画像データに対する文字認識処理を実行することにより、文字列の認識結果と併せて、画像中に使用されている各種文字のフォントのサイズ等の情報を得ることができる。
【００２３】
上記各回路の動作すべてをＣＰＵ２１が制御する。このＣＰＵ２１８は、メインメモリ２２及びＳＳＤ（Ｓｏｌｉｄ  Ｓｔａｔｅ  Ｄｒｉｖｅ）２３とバスＢを介して接続される。メインメモリ２２は、例えばＳＲＡＭで構成され、ＣＰＵ２１のワークメモリとして機能する。ＳＳＤ２３は、電気的に書換可能な不揮発性メモリで構成され、ＣＰＵ２１が実行する動作プログラムや各種定型データ等を記憶する。ＣＰＵ２１は、上記メインメモリ２２及びＳＳＤ２３を用いて、このプロジェクタ１内の制御動作を統括して実行する。
【００２４】
上記ＣＰＵ２１は、キー操作部２４からのキー操作信号に応じて各種投影動作を実行する。このキー操作部２４は、プロジェクタ１の本体に設けられるキー操作部と、このプロジェクタ１専用の図示しないリモートコントローラからの赤外光を受光する赤外線受光部とを含み、ユーザが本体のキー操作部またはリモートコントローラで操作したキーに基づくキー操作信号をバスＢを介してＣＰＵ２１へ出力する。
【００２５】
さらにバスＢには、加速度センサ２５が接続される。この加速度センサ２５は、例えば３軸加速度センサにより構成され、プロジェクタ１が設置されている状態で重力加速度の方向を検出することで、プロジェクタ１が設置されている姿勢を検出することができる。
【００２６】
なお、上記ＰＣ２Ａ〜２Ｄそれぞれのハードウェア回路の構成に関しては、きわめて一般的な周知の技術であるものとして、その図示と説明とを省略する。これらＰＣ２Ａ〜２Ｄのうちの少なくとも１台には、アプリケーションプログラムの１つとしてプレゼンテーションプログラムがインストールされ、同プログラム用に作成されたドキュメントファイル（プレゼンテーション用ファイル）を再生することができる。
【００２７】
次に上記実施形態の動作について説明する。  
本実施形態のプロジェクタ１では、複数のパーソナルコンピュータ等からの画像信号入力に対し、投影する各画像のサイズ調整を行なうサイズ調整モードと、投影する各画像のサイズ調整を行なわないノーマルモードとを選択可能であるものとする。
【００２８】
図４は、上記サイズ調整モードでの投影動作当初にＣＰＵ２１が実行する、合成画像の配置及びサイズ変更の設定処理内容を示すフローチャートである。
【００２９】
その当初にＣＰＵ２１は、画像信号を入力する外部機器を選定するための変数ｉに初期値「１」を設定する（ステップＳ１０１）。
【００３０】
画像信号を入力している外部機器を特定する順序としては、例えば画像入力部１１に有線接続されている外部機器を先に判断し、無線ＬＡＮインタフェイス１７及び無線ＬＡＮアンテナ１８を介して無線接続されている外部機器を後に判断するものとする。しかし、それらの順序は、ユーザによる任意の設定により変更可能であるものとする。
【００３１】
上記変数ｉに従って、画像入力部１１または無線ＬＡＮインタフェイス１７を介してｉ番目に入力されている画像信号が、ＲＧＢ入力、ビデオ信号入力、あるいはＨＤＭＩ（登録商標）入力などの画像そのものの入力であるか、またはワープロソフトや表計算ソフト、プレゼンテーションソフトなどのアプリケーションソフトのファイルデータの形で入力されているのかを判断する（ステップＳ１０２）。
【００３２】
ここで、画像データがそのまま入力されていると判断した場合（ステップＳ１０２のＹｅｓ）、ＣＰＵ２１は入力される画像データを構成している縦横の各画素数からアスペクト比を取得する（ステップＳ１０３）。
【００３３】
次いでＣＰＵ２１は、入力されている画像データに対して、上記文字認識部２０による文字部分の切り出しから文字認識までを実行させ、画像中の文字毎にサイズを検出することで、最大の文字サイズ、最小の文字サイズ、最頻の文字サイズの各サイズ情報を取得する。
【００３４】
なお、画像入力部１１で入力する複数の画像信号のそれぞれの入力ソースについて、「画像のみ」であるか「テキスト付き」であるかを判別するようにしても良い。仮に、「画像のみ」と「テキスト付き」が同じアスペクト比だとしても、表示部における「画像のみ」の領域（面積）を、「テキスト付き」の領域（面積）に比べて、小さくすることができる。これは、表示部における「テキスト付き」の領域（面積）の倍率を縮小した場合、縮小し過ぎると、文字サイズが閾値以下になり読みづらくなるが、「画像のみ」の場合、「テキスト付き」の領域（面積）の縮小率と同じ縮小率にしたとしても、画像であるので、文字のように認識しづらくことはない。
【００３５】
ＣＰＵ２１は、取得した各サイズ情報に基づいて、当該画像における基準となる文字サイズを取得する（ステップＳ１０４）。この基準の文字サイズとしては、例えば最小の文字サイズを設定しておくことで、画像中のすべての文字を確実に判読可能な状態で投影されることとなる。
【００３６】
一方で、最頻の文字サイズを基準の文字サイズとして設定しておいても良い。この場合、最小の文字サイズの文字が投影画面上で判読不能となる可能性が生じる可能性があるが、文字を正確に投影することができないと判断した場合、最小の文字サイズが、例えば１０．５ポイントであれば１１ポイントとするように、文字サイズを１サイズ大きくすることで、画面全体で画像中の文字が読み易い環境を実現できる。
【００３７】
次にＣＰＵ２１は、上記変数ｉの値を「＋１」更新設定した上で（ステップＳ１０５）、その更新設定したｉ番目の画像入力がないかどうかにより、画像の入力それぞれに対する情報の取得を終えたか否かを判断する（ステップＳ１０６）。
【００３８】
更新設定したｉ番目の画像入力があり、画像の情報の取得を終えていないと判断すると（ステップＳ１０６のＮｏ）、ＣＰＵ２１は再び上記ステップＳ１０２からの処理に戻って、同様の処理を続行する。
【００３９】
上記ステップＳ１０２において、入力されている画像信号が画像そのものの入力ではなく、アプリケーションソフトのファイルデータの形で入力されていると判断した場合（ステップＳ１０２のＮｏ）、ＣＰＵ２１は入力されるデータに対して、デコーダ１９により、対応するアプリケーションプログラムを用いてファイルデータ中に記述されている画像のアスペクト比と、文字データ部分の最大の文字サイズ、最小の文字サイズ、最頻の文字サイズの各サイズ情報を取得させ、基準となる文字サイズを取得する（ステップＳ１０７）。
【００４０】
ここでも、基準の文字サイズとしては、最小の文字サイズ、あるいは最頻の文字サイズのいずれか一方を取得するものとして予め設定しておく。
【００４１】
基準となる文字サイズを取得した後、ＣＰＵ２１は上記ステップＳ１０５からの処理に進む。
【００４２】
こうして、画像そのものを入力している外部機器からの画像に対しては、ステップＳ１０３、Ｓ１０４の処理によりアスペクト比と基準の文字サイズを取得する一方で、アプリケーションソフトのファイルデータの形で入力している外部機器に対しては、ステップＳ１０７の処理により当該プログラムで記述しているデータ中からアスペクト比と基準の文字サイズを取得する。
【００４３】
接続されているすべての外部機器、例えば４台のＰＣ２Ａ〜２Ｄからの入力に対する、アスペクト比と基準となる文字サイズの情報の取得を終え、変数ｉの値を「＋１」更新設定して「５」とした後（ステップＳ１０５）、５番目の入力がないと判断した時点で（ステップＳ１０６のＹＥＳ）、ＣＰＵ２１は全入力により、それぞれの画像のアスペクト比に基づいて、画像の配置自体と、それぞれの画像の分割範囲の拡大／縮小とを行なって、非投影領域が最小となるように最適化する（ステップＳ１０８）。
【００４４】
図４は、この図３によるサイズ調整モードの処理を実行せず、投影する各画像のサイズ調整を行なわないノーマルモードを設定した場合に、上記ＰＣ２Ａ〜２Ｄからの各画像を均等に画面分割するものとして、投影部１４でスクリーンＳＣに投影している状態を例示する。
【００４５】
入力される画像信号の画像のアスペクト比と、均等分割された各領域でのアスペクト比とが異なる場合、非投影領域なしに画像を投影することはできないので、図示する如く、画像（１）〜画像（４）はいずれもハッチングで示す非投影領域を伴って投影されることとなる。
【００４６】
殊に、縦長のアスペクト比を有する画像（４）の場合、均等分割により割り当てられた投影領域が横長のアスペクト比であるために、画像（４）の縦方向が一杯となるように配置しても、その左右の非投影領域の面積が非常に大きなものとなる。
【００４７】
これに対して、図３の上記ステップＳ１０８の処理により配置とサイズとを調整し、非投影領域が最小となるように最適化した例を図５に示す。
【００４８】
図５では、上記図４における画像（２）と画像（３）の位置が入れ替わっており、均等分割した場合と比べて、画像（１）、画像（２）、及び画像（４）が拡大、画像（３）が縮小となっている。
【００４９】
さらに、画像（１）と画像（３）に関しては、分割した投影領域内で非投影領域が存在せず、画像（２）と画像（４）も分割した非投影領域内で非投影領域の占める面積が非常に小さいものとなっている。
【００５０】
上記ステップＳ１０８で上述したような最適配置を行なった上で、ＣＰＵ２１は配置後の各画像の実面積に対し、予め設定した縮小範囲内、例えばノーマルモードで投影領域を均等分割した場合の、非投影領域を除いた当該画像の実投影面積を「１００」として、いずれの画像もマイナス４０［％］の「６０」を割っていないかどうかにより、縮小されすぎた画像が１つもないかどうかを判断する（ステップＳ１０９）。
【００５１】
ここで配置後の画像の少なくとも１つが、実面積が予め設定した縮小範囲内に収まっておらず、縮小されすぎていると判断した場合（ステップＳ１０９のＮｏ）、ＣＰＵ２１は縮小されすぎたと判断した画像に対して、１段階、例えば均等分割時の画像の実面積を基準として、直前のステップＳ１０８で最適化した実画像面積より２．５［％］上昇するように再設定を行なった上で（ステップＳ１１０）、この再設定を条件として維持した上で、上記ステップＳ１０８に進んで、再度最適配置を得る処理を実行する。
【００５２】
こうして必要によりステップＳ１０８、Ｓ１０９、Ｓ１１０の処理を繰返し実行することにより、非投影領域の面積は若干ずつ増加するものの、縮小されすぎた画像が存在しないように設定できる。
【００５３】
上記ステップＳ１０９において、縮小されすぎた画像はないと判断した場合（ステップＳ１０９のＹｅｓ）、次にＣＰＵ２１は、上記最適配置により拡大または縮小の設定を行なった後の各画像の基準とする文字サイズが、投影部１４の投影解像度に対応しているかどうかを判断する（ステップＳ１１１）。
【００５４】
すなわちＣＰＵ２１は、その時点で最適配置された各画像の拡大／縮小率と、各画像それぞれの基準の文字サイズとにより、結果的に最も基準の文字サイズが小さくなる画像において、基準の文字サイズにその時点の拡大／縮小率を乗じた結果が、投影部１４の解像度に対応して投影可能であるか否かを上記ステップＳ１１１で判断する。
【００５５】
ここで、投影可能な範囲を下回り、文字を正確に投影することができないと判断した場合（ステップＳ１１１のＮｏ）、ＣＰＵ２１はその時点で当該画像の基準の文字サイズが、例えば１０．５ポイントであれば１１ポイントとするように、文字サイズを１サイズ大きくする、当該画像に対する新たな拡大／縮小率による再設定を行なった上で（ステップＳ１１２）、この再設定を条件として維持した上で、上記ステップＳ１０８に進んで、再度最適配置を得る処理を実行する。
【００５６】
こうして必要によりステップＳ１０８、Ｓ１０９、Ｓ１１１、Ｓ１１２の処理を繰返し実行することにより、非投影領域の面積は若干ずつ増加するものの、投影部１４の投影解像度に対応して、確実に判読可能な文字を含む画像のみが配置されることになる。
【００５７】
上記ステップＳ１１１において、拡大または縮小の設定を行なった後の各画像の基準とする文字サイズが、投影部１４の投影解像度に対応していると判断すると（ステップＳ１１１のＹｅｓ）、ＣＰＵ２１はその時点で複数の画像の最適配置を終えたものとして、それぞれの入力画像に対する設定を確定して上記スケーラ１２に設定し（ステップＳ１１３）、以上でこの図３の処理を終了すると共に、初期設定を終えたものとして、実際の投影動作に移行する。
【００５８】
以上詳述した如く本実施形態によれば、入力される複数の画像信号に応じて、非投影領域をできるだけ減らして、画面の面積を有効に使用することが可能となる。
【００５９】
また上記実施形態では、画面を均等分割した場合を基準として、各画像の拡大／縮小を行なう範囲に制限を設けることで、複数の画像間の面積のバランスが極端に乱れるのを回避して、見易い自然な画像を提供できる。
【００６０】
さらに上記実施形態では、投影部１４の投影解像度を考慮して、配置設定後の各画像の基準の文字サイズが確実に判読可能な状態で投影されるように各画像のサイズ調整を行なうものとしたので、特に文字情報の存在が重視されるドキュメント画像等を投影する場合の画質を担保できる。
【００６１】
また上記実施形態では、例示したＲＧＢ入力、ビデオ信号入力、あるいはＨＤＭＩ（登録商標）入力などのように、画像そのものを信号化して入力する場合に、文字認識処理によって、画像中から文字とそのサイズを認識するものとしたので、それら画像信号の入力にも対応することが可能となる。
【００６２】
なお上記実施形態では説明しなかったが、プロジェクタ１においては、スクリーンＳＣと正対した状態で画像の投影を行なうのではなく、投影光軸がスクリーンに直交しないような、斜めの投影角度で投影を実行する環境となることも考えられる。
【００６３】
この場合、投影面上で、投影を行なう装置から離れた側で投影範囲が広がるような台形の投影となってしまうのを回避するべく、台形補正機能を有する機種が多い。
【００６４】
この台形補正機能においては、予め光像を形成するための表示素子部で、逆台形となるように、表示を行なう範囲を制限することで、投影面上で投影される画像が矩形を維持するようになるもので、結果として、投影面上の投影を行なう装置から離れた側程、解像度が低下していることになる。
【００６５】
したがって、基準となる文字サイズと投影解像度とを勘案して画像の拡大／縮小率を設定する場合には、台形補正機能を実行することに伴う解像度の低下も考慮して、特に画像に対する縮小率に制限を設けることで、投影を行なう画質の低下を確実に回避できる。
【００６６】
なお上記実施形態は、複数台のパーソナルコンピュータを有線接続、及び無線接続して、複数の画像を非投影対象のスクリーン等に投影するプロジェクタに適用した場合について説明したが、本発明はこれに限らず、例えば複数のスマートフォンから投稿した画像を１台のタブレット端末の画面に合成して表示するようなアプリケーションプログラムなどにおいても、同様に有用である。
【００６７】
この点で、全体にアスペクト比が似通った縦長画像及び横長画像を混在させるような場合のみならず、極端にアスペクト比が異なるような画像、例えば俳句を毛筆書きした短冊の縦長画像などを混在して合成画像を生成する場合に、本発明の技術によれば、無駄な表示領域を極力廃することが可能となる。
【００６８】
なお、本発明は、入力部で入力する複数の画像信号のアスペクト比が異なる場合でも、
表示部における複数の画像の画素利用率を最大にし、表示部上で画像として表示しない領域である無効部分を最小にすることができる。
【００６９】
その他、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００７０】
以下に、本願出願の当初の特許請求の範囲に記載された発明を付記する。  
［請求項１］  
複数の外部機器から複数の画像信号を入力する入力部と、  
画像を表示する表示部と、  
上記入力部で入力する複数の画像信号それぞれに対応するアスペクト比に基づいて、上記複数の画像の表示条件を設定する設定部と、  
上記設定部で設定した内容に基づいて、上記入力部で入力される複数の画像信号から合成画像を生成し、上記表示部で表示させる表示制御部と、  
を備える表示装置。  
［請求項２］  
上記表示条件は、上記複数の画像のそれぞれの画像の配置位置と、拡大縮小率と、の少なくとも一方である、請求項１記載の表示装置。  
［請求項３］  
上記設定部は、画像に対する拡大率と、縮小率と、の少なくとも一方に制限を設ける、請求項２記載の表示装置。  
［請求項４］  
上記設定部は、画像に含まれる文字のサイズと上記表示部の表示解像度とに基づいて、当該画像に対する縮小率に制限を設ける、請求項２または３記載の表示装置。  
［請求項５］  
上記入力部で入力する画像信号に対応する画像中から、文字と当該文字サイズとを認識する文字認識部をさらに備え、  
上記設定部は、上記文字認識部で認識した文字サイズと上記表示部の表示解像度とに基づいて、当該画像に対する縮小率に制限を設ける、  
請求項４記載の表示装置。  
［請求項６］  
上記表示部は、台形補正機能を有する投影部であり、  
上記設定部は、上記台形補正機能の実行に伴う表示解像度の低下を考慮して、当該画像に対する縮小率に制限を設ける、  
請求項４または５記載の表示装置。  
［請求項７］  
複数の外部機器から複数の画像信号を入力する入力部と、画像を表示する表示部とを備える装置での表示方法であって、  
上記入力部で入力する複数の画像信号それぞれに対応するアスペクト比に基づいて、上記複数の画像の表示条件を設定する設定工程と、  
上記設定工程で設定した内容に基づいて、上記入力部で入力される複数の画像信号から合成画像を生成し、上記表示部で表示させる表示制御工程と、  
を有する表示方法。  
［請求項８］  
複数の外部機器から複数の画像信号を入力する入力部と、画像を表示する表示部とを備える装置が内蔵したコンピュータが実行するプログラムであって、上記コンピュータを、  
上記入力部で入力する複数の画像信号それぞれに対応するアスペクト比に基づいて、上記複数の画像の表示条件を設定する設定部、及び  
上記設定部で設定した内容に基づいて、上記入力部で入力される複数の画像信号から合成画像を生成し、上記表示部で表示させる表示制御部、  
として機能させるプログラム。
【符号の説明】
【００７１】
１…プロジェクタ
２Ａ〜２Ｄ…パーソナルコンピュータ（ＰＣ）（外部機器）
１１…画像入力部
１２…スケーラ
１３…表示メモリ
１４…投影部
１５…音声出力部
１６…スピーカ部
１７…無線ＬＡＮインタフェイス（Ｉ／Ｆ）
１８…無線ＬＡＮアンテナ
１９…デコーダ
２０…文字認識部
２１…ＣＰＵ
２２…メインメモリ
２３…ＳＳＤ
２４…キー操作部
２５…加速度センサ
Ｂ…バス
ＳＣ…スクリーン
ＶＣ１〜ＶＣ３…ビデオケーブル
【図１】
2018163234.tif 000003
【図２】
2018163234.tif 000004
【図３】
2018163234.tif 000005
【図４】
2018163234.tif 000006
【図５】
2018163234.tif 000007